(57)【要約】  本発明は、部分帯域幅非アクティブタイマーの処理方法、装置、端末およびデバイスを開示する。本発明では、ネットワーク側によって送信されたアップリンク送信に関する命令を受信し、受信された命令に従って、部分帯域幅非アクティブタイマーを開始または再開する。本発明は、ＢＷＰ非アクティブタイマーの特定のステップメカニズムを明らかにする。端末および基地局は、正しいリソース上でシグナリングおよびデータ送信を実行し、シグナリングおよびデータ送信エラーおよびリソースの浪費を回避することができる。
2021503844.tif 000002
【特許請求の範囲】
【請求項１】
ネットワーク側によって送信されたアップリンク送信に関する命令を受信するステップと、
受信された命令に従って、部分帯域幅非アクティブタイマーを開始または再開するステップとを備えることを特徴とする部分帯域幅非アクティブタイマーの処理方法。
【請求項２】
前記命令は、アップリンク部分帯域幅（ＢＷＰ）を変更する命令であり、新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開することを特徴とする請求項１に記載の部分帯域幅非アクティブタイマーの処理方法。
【請求項３】
現在時刻で事前構成されたアップリンクリソースがあり、端末が前記事前構成されたアップリンクリソースを使用してアップリンク送信を送信する場合、現在アクティブＢＷＰ部分帯域幅非アクティブタイマーを再開することを特徴とする請求項１に記載の部分帯域幅非アクティブタイマーの処理方法。
【請求項４】
部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更することを特徴とする請求項１に記載の部分帯域幅非アクティブタイマーの処理方法。
【請求項５】
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、前記部分帯域幅非アクティブタイマーの開始または再開、期限切れに応じて、アップリンクアクティブＢＷＰおよびダウンリンクアクティブＢＷＰを同時に処理することを特徴とする請求項１から請求項４のいずれか一項に記載の部分帯域幅非アクティブタイマーの処理方法。
【請求項６】
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、前記ダウンリンクＢＷＰ部分帯域幅非アクティブタイマーを開始し、または、
前記ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、前記ダウンリンクＢＷＰ部分帯域幅非アクティブタイマーを再開し、または、
前記ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、前記アップリンクＢＷＰ部分帯域幅非アクティブタイマーを開始し、または、
前記アップリンクＢＷＰのアップリンクシグナリングまたはデータ送信のトリガー条件の指示を受信するときに、前記アップリンクＢＷＰ部分帯域幅非アクティブタイマーを再開し、または、
前記アップリンクＢＷＰ部分帯域幅非アクティブタイマーが期限切れになるとき、アクティブアップリンクＢＷＰをデフォルトダウンリンクＢＷＰに変更することを特徴とする請求項５に記載の部分帯域幅非アクティブタイマーの処理方法。
【請求項７】
アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、前記部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、前記部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更することを特徴とする請求項５に記載の部分帯域幅非アクティブタイマーの処理方法。
【請求項８】
プロセッサの制御下でデータを送受信して以下のプロセスを実行するように構成された送受信機と、
メモリ内のプログラムを読み取って次のプロセスを実行するように構成されたプロセッサとを備え、
前記送受信機は、ネットワーク側によって送信されたアップリンク送信に関する命令を受信し、
前記プロセッサは、受信された命令に従って、部分帯域幅非アクティブタイマーを開始または再開することを特徴とする端末。
【請求項９】
前記命令は、アップリンク部分帯域幅（ＢＷＰ）を変更する命令であり、新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開することを特徴とする請求項８に記載の端末。
【請求項１０】
現在時刻で事前構成されたアップリンクリソースがあり、端末が前記事前構成されたアップリンクリソースを使用してアップリンク送信を送信する場合、現在アクティブＢＷＰ部分帯域幅非アクティブタイマーを再開することを特徴とする請求項８に記載の端末。
【請求項１１】
部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更することを特徴とする請求項８に記載の端末。
【請求項１２】
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、前記部分帯域幅非アクティブタイマーの開始または再開、期限切れに応じて、アップリンクアクティブＢＷＰおよびダウンリンクアクティブＢＷＰを同時に処理することを特徴とする請求項８から請求項１１のいずれか一項に記載の端末。
【請求項１３】
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、前記ダウンリンクＢＷＰ部分帯域幅非アクティブタイマーを開始し、または、
前記ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、前記ダウンリンクＢＷＰ部分帯域幅非アクティブタイマーを再開し、または、
前記ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、前記アップリンクＢＷＰ部分帯域幅非アクティブタイマーを開始し、または、
前記アップリンクＢＷＰのアップリンクシグナリングまたはデータ送信のトリガー条件の指示を受信するときに、前記アップリンクＢＷＰ部分帯域幅非アクティブタイマーを再開し、または、
前記アップリンクＢＷＰ部分帯域幅非アクティブタイマーが期限切れになるとき、アクティブアップリンクＢＷＰをデフォルトダウンリンクＢＷＰに変更することを特徴とする請求項１２に記載の端末。
【請求項１４】
アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、前記部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、前記部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更することを特徴とする請求項１２に記載の端末。
【請求項１５】
プロセッサによって実行されたときに請求項１から７のいずれか一項に記載の方法のステップを実行するように構成されたコンピュータプログラムが格納された機械可読不揮発性記憶媒体。
【発明の詳細な説明】
【技術分野】
【０００１】
[関連出願の相互参照]
本出願は、２０１７年１１月１７日に中国特許局に提出し、出願番号が２０１７１１１４７９１３．６であり、発明の名称が「部分帯域幅非アクティブタイマーの処理方法、装置、端末およびデバイス」である中国特許出願を基礎とする優先権を主張し、その開示のすべてをここに取り込む。
【０００２】
[技術分野]
本発明は、通信技術分野に関し、特に部分帯域幅非アクティブタイマー（ＢＷＰ ｉｎａｃｔｉｖｉｔｙ ｔｉｍｅｒ）の処理方法、装置、端末およびデバイスに関する。
【背景技術】
【０００３】
従来のロングタームエボリューション（ＬＴＥ）システムでは、ネットワーク側のセル帯域幅は端末の２０ＭＨｚの受信帯域幅以下であるので、ネットワーク側は常にセルのアップリンクおよびダウンリンク合計帯域幅を端末に割り当て、端末はセル帯域幅全体で機能する。次世代無線（ｎｅｘｔ ｇｅｎｅｒａｔｉｏｎ Ｒａｄｉｏ，ＮＲ）システムでは、ネットワーク側の帯域幅は最大４００ ＭＨｚで、端末の受信能力よりはるかに大きくなる。したがって、部分帯域幅（Ｂａｎｄ Ｗｉｄｔｈ Ｐａｒｔ，ＢＷＰ）の概念が導入される。つまり、ネットワーク側の大きな帯域幅が複数のＢＷＰに分割され、1つ以上のＢＷＰが端末に対して構成され、構成されたＢＷＰの一部がアクティブ化され、端末のアップリンクおよびダウンリンク送信に用いられる。アクティブ化されたダウンリンクＢＷＰはａｃｔｉｖｅ ＤＬ ＢＷＰと呼ばれ、アクティブ化されたアップリンクＢＷＰはａｃｔｉｖｅ ＵＬ ＢＷＰと呼ばれる。Ｒ１５リリースでは、端末の場合、１つの時刻にアクティブにできるのは1つのＤＬ ＢＷＰと1つのＵＬ ＢＷＰのみであり、非アクティブＢＷＰはアップリンクとダウンリンクのシグナリングとデータ送信を実行できない。
【０００４】
ＢＷＰに関して、３ＧＰＰはさらにいくつかの基本的な概念を定義する：
初期ＢＷＰ（ｉｎｉｔｉａｌ ＢＷＰ）：最初にアクセスする端末の場合、それは、接続確立プロセスを完了するために初期ＢＷＰのみを使用することができる。初期ＢＷＰには、基本的なセルブロードキャストシグナリングとランダムアクセスリソースなどが含まれている。
【０００５】
デフォルトＢＷＰ（ｄｅｆａｕｌｔ ＢＷＰ）：ネットワーク側の次世代ＮｏｄｅＢ（ｎｅｘｔ ｇｅｎｅｒａｔｉｏｎ ＮｏｄｅＢ，ｇＮＢ）は、接続状態の端末に対してデフォルトＢＷＰを構成することができ、端末は、セル接続の維持、セル測定の実行、ランダムアクセスの開始など、デフォルトＢＷＰに対していくつかの基本的な作業を実行することができる。
【０００６】
構成ＢＷＰ（ｃｏｎｆｉｇｕｒｅｄ ＢＷＰ）：接続状態の単一の端末のためにネットワーク側によって構成されたＢＷＰ。各ＢＷＰは、物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）構成、半永続的スケジューリング（Ｓｅｍｉ−ｐｅｒｓｉｓｔｅｎｔ Ｓｃｈｅｄｕｌｅ，ＳＰＳ）構成などの異なる構成コンテンツを有することができる。など。 ＤＬ ＢＷＰ（ダウンリンクＢＷＰ）およびＵＬ ＢＷＰ（アップリンクＢＷＰ）は、それぞれ構成できる。
【０００７】
アクティブＢＷＰ（ａｃｔｉｖｅ ＢＷＰ）：端末のためにネットワーク側によって構成されたＢＷＰにおいて、端末は、アップリンクおよびダウンリンク送信のためにアクティブＢＷＰのみを使用する。アクティブＢＷＰは、アクティブＤＬ ＢＷＰとアクティブＵＬ ＢＷＰに分けられます。
【０００８】
端末に複数のＢＷＰを構成した後、ネットワーク側は、物理層シグナリングダウンリンク制御インジケータ（Ｄｏｗｎｌｉｎｋ Ｃｏｎｔｒｏｌ Ｉｎｄｉｃａｔｏｒ，ＤＣＩ）を使用してアクティブＢＷＰを変更することができ、アクティブアップリンクおよびダウンリンクＢＷＰはそれぞれ変更することができる。さらに、ＢＷＰ非アクティブタイマー（Ｂａｎｄ Ｗｉｄｔｈ Ｐａｒｔ ｉｎａｃｔｉｖｉｔｙ ｔｉｍｅｒ）が導入された。ＢＷＰ非アクティブタイマーの期限が切れると、端末のダウンリンクアクティブＤＬ ＢＷＰをデフォルトのＤＬ ＢＷＰに変更する必要がある。
【発明の概要】
【発明が解決しようとする課題】
【０００９】
従来技術の欠点は、ＢＷＰ  ｉｎａｃｔｉｖｉｔｙ ｔｉｍｅｒーの作動メカニズムが特定されていないことである。
【００１０】
本発明は、部分帯域幅非アクティブタイマーの処理方法、装置、端末およびデバイスして、ＢＷＰ  ｉｎａｃｔｉｖｉｔｙ ｔｉｍｅｒーの作動メカニズムを明確にする。
【課題を解決するための手段】
【００１１】
本発明の実施形態に係る部分帯域幅非アクティブタイマーの処理方法は、
ネットワーク側によって送信されたアップリンク送信に関する命令を受信するステップと、
受信された命令に従って、部分帯域幅非アクティブタイマーを開始または再開するステップとを備える。
【００１２】
一実施態様では、前記命令は、アップリンク部分帯域幅（ＢＷＰ）を変更する命令であり、当該新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開する。
【００１３】
ここで、アップリンクＢＷＰを変更する命令は、アップリンクＢＷＰのみを変更する命令、または現在アップリンクＢＷＰではない別のアップリンクＢＷＰをスケジューリングアップリンクスケジューリング命令、または現在アップリンクＢＷＰではない別のＢＷＰにランダムアクセスを介しさせるようにトリガーする命令を指す。
【００１４】
一実施態様では、さらに、現在時刻で事前構成されたアップリンクリソースがあり、端末が当該事前構成されたアップリンクリソースを使用してアップリンク送信を送信する場合、現在アクティブＢＷＰ部分帯域幅非アクティブタイマーを再開する。
【００１５】
一実施態様では、さらに、
部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更する。
【００１６】
一実施態様では、さらに、
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、当該部分帯域幅非アクティブタイマーの開始または再開、期限切れに応じて、アップリンクアクティブＢＷＰおよびダウンリンクアクティブＢＷＰを同時に処理する。
【００１７】
一実施態様では、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、当該ダウンリンクＢＷＰ部分帯域幅非アクティブタイマーを開始し、または、
当該ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、当該ダウンリンクＢＷＰ部分帯域幅非アクティブタイマーを再開し、または、
当該ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、当該アップリンクＢＷＰ部分帯域幅非アクティブタイマーを開始し、または、
当該アップリンクＢＷＰのアップリンクシグナリングまたはデータ送信のトリガー条件の指示を受信するときに、当該アップリンクＢＷＰ部分帯域幅非アクティブタイマーを再開し、または、
当該アップリンクＢＷＰ部分帯域幅非アクティブタイマーが期限切れになるとき、アクティブアップリンクＢＷＰをデフォルトダウンリンクＢＷＰに変更する。
【００１８】
一実施態様では、アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、当該部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、当該部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更する。
【００１９】
本発明の実施形態に係る端末は、
プロセッサの制御下でデータを送受信して以下のプロセスを実行するように構成された送受信機と、
メモリ内のプログラムを読み取って次のプロセスを実行するように構成されたプロセッサとを備え、
前記送受信機は、ネットワーク側によって送信されたアップリンク送信に関する命令を受信し、
前記プロセッサは、受信された命令に従って、部分帯域幅非アクティブタイマーを開始または再開する。
【００２０】
一実施態様では、前記命令は、アップリンク部分帯域幅（ＢＷＰ）を変更する命令であり、当該新しいアクティブＢＷＰ部分帯域幅非アクティブタイマーを開始し、または、
【００２１】
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開する。
【００２２】
一実施態様では、さらに、現在時刻で事前構成されたアップリンクリソースがあり、端末が当該事前構成されたアップリンクリソースを使用してアップリンク送信を送信する場合、現在アクティブＢＷＰ部分帯域幅非アクティブタイマーを再開する。
【００２３】
一実施態様では、さらに、部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更する。
【００２４】
一実施態様では、さらに、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、当該部分帯域幅非アクティブタイマーの開始または再開、期限切れに応じて、アップリンクアクティブＢＷＰおよびダウンリンクアクティブＢＷＰを同時に処理する。
【００２５】
一実施態様では、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、当該ダウンリンクＢＷＰ部分帯域幅非アクティブタイマーを開始し、または、
当該ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、当該ダウンリンクＢＷＰ部分帯域幅非アクティブタイマーを再開し、または、
当該ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、当該アップリンクＢＷＰ部分帯域幅非アクティブタイマーを開始し、または、
当該アップリンクＢＷＰのアップリンクシグナリングまたはデータ送信のトリガー条件の指示を受信するときに、当該アップリンクＢＷＰ部分帯域幅非アクティブタイマーを再開し、または、
当該アップリンクＢＷＰ部分帯域幅非アクティブタイマーが期限切れになるとき、アクティブアップリンクＢＷＰをデフォルトダウンリンクＢＷＰに変更する。
【００２６】
一実施態様では、アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、当該部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、当該部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更する。
【００２７】
本発明の実施形態に係る部分帯域幅非アクティブタイマーの処理装置は、
ネットワーク側によって送信されたアップリンク送信に関する命令を受信するように構成された受信モジュールと、
受信された命令に従って、部分帯域幅非アクティブタイマーを開始または再開するように構成された処理モジュールとを備える。
【００２８】
本発明の実施形態は、プロセッサによって実行されたときに上記部分帯域幅非アクティブタイマーの処理方法を実行するように構成されたコンピュータプログラムを格納する、コンピュータ記憶媒体を提供する。
【発明の効果】
【００２９】
本発明は、以下の有益な効果を有する。
本発明の実施形態によって提供される解決策では、ネットワーク側によって送信されたアップリンク送信に関する命令が受信された後、受信された命令に従って、部分帯域幅非アクティブタイマーを開始または再開し、それにより、ＢＷＰ ｉｎａｃｔｉｖｉｔｙ ｔｉｍｅｒの特定の動作メカニズムを明確にする。
【００３０】
さらに、この解決策はまた、異なる命令の下での部分帯域幅非アクティブタイマーの動作、現在時刻で事前構成されたアップリンクリソースがあり、端末が当該事前構成されたアップリンクリソースを使用してアップリンクを送信するときの動作、および部分帯域幅非アクティブタイマーが期限切れになった後の動作を明らかにする。また、２つの部分帯域幅非アクティブタイマーを設定するときの動作、1つの部分帯域幅非アクティブタイマーを設定するときの動作などを明らかにする。これにより、ＢＷＰ ｉｎａｃｔｉｖｉｔｙ ｔｉｍｅｒの特定の動作メカニズムがさらに明確になる。
【００３１】
当該解決策を通じて、端末および基地局は、正しいリソース上でシグナリングおよびデータ送信を実行し、シグナリングおよびデータ送信エラーおよびリソースの浪費を回避することができる。
【００３２】
本発明の実施例や従来の技術解決策をより明確に説明するために、以下に実施例或いは従来技術を説明するために必要な図面をについて簡単に紹介する。当然、以下の説明における図面は本発明の実施例の一部であり、当業者は、創造性作業を行わないことを前提として、これらの図面に基づいて他の図面を得ることができる。
【図面の簡単な説明】
【００３３】
【図１】本発明の実施形態における、部分帯域幅非アクティブタイマーの処理方法の実施プロセスの概略図である。
【図２】本発明の実施形態における端末の構造概略図である。
【図３】本発明の実施形態における部分帯域幅非アクティブタイマーの処理装置の構造概略図である。
【発明を実施するための形態】
【００３４】
発明者は、本発明を考案中に以下のことに気づいた：
現在、ＢＷＰ非アクティブタイマー（ＢＷＰ ｉｎａｃｔｉｖｉｔｙ ｔｉｍｅｒ）の特定の動作メカニズムは指定されていない。特にアップリンクアクティブＢＷＰの場合、タイマーとは関係ない。これにより、次の問題が発生する可能性がある。
【００３５】
１）ＴＤＭ（Ｔｉｍｅ Ｄｉｖｉｓｉｏｎ Ｍｕｌｔｉｐｌｅｘｉｎｇ，時分割多重）モードの場合、アップリンクとダウンリンクに同じ帯域幅が使用され、端末でアップリンク送信があるときにＢＷＰ非アクティブタイマーの期限が切れたためにアクティブＢＷＰがデフォルトＢＷＰに変更された場合、アップリンク送信が正常に実行できない。
２）たとえば、アップリンク送信とダウンリンク送信で使用される帯域幅リソースをセットで使用する必要がある場合、デフォルトＢＷＰのダウンリンク送信に対応するフィードバックリソースＰＵＣＣＨは、特定のＵＬ ＢＷＰ（デフォルトＢＷＰなど）でのみ構成される。アップリンクでのフィードバックがないので、DL ＢＷＰの変更のみが指定されているため、ダウンリンク送信は正常に実行できない。
３）デフォルトのＢＷＰは通常、ＲＡＣＨ（Ｒａｎｄｏｍ Ａｃｃｅｓｓ Ｃｈａｎｎｅｌ，ランダムアクセスチャネル）リソース構成などの一般的な機能を持つＢＷＰであり、ＤＬ ＢＷＰのみが変更された場合、アクティブＵＬ ＢＷＰにＲＡＣＨリソースが含まれず、ＲＡＣＨプロセスを実行できない。
【００３６】
これに基づいて、本発明の実施形態によって提供される技術的解決策は、送信帯域幅を正しく維持し、その結果、端末は適切なＢＷＰ上で送信を実行することができる。本発明の特定の実施形態を、図面と組み合わせて以下に説明する。
図１は、部分帯域幅非アクティブタイマーの処理方法の実施プロセスの概略図であり、示されるように、方法は以下ステップを含み得る：
ステップ１０１：ネットワーク側によって送信されたアップリンク送信に関する命令を受信する。
ステップ１０２：受信された命令に従って部分帯域幅非アクティブタイマーを開始または再開する。
【００３７】
具体的には、端末は、ネットワーク側によって送信されたアップリンク送信に関する命令を受信した後、部分帯域幅非アクティブタイマー（ＢＷＰ ｉｎａｃｔｉｖｉｔｙ ｔｉｍｅｒ）を開始または再開する。
【００３８】
一実施態様では、前記命令は、アップリンクＢＷＰを変更する命令であり、当該新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開する。
【００３９】
具体的には、部分帯域幅非アクティブタイマーの開始および再開のために、それは、具体的には、１つまたは複数の以下のモードの組み合わせであり得る。
（１）端末は、アップリンクＢＷＰを変更する命令を受信した後、当該新しいアクティブＢＷＰ部分帯域幅非アクティブタイマーを開始する
一実施態様では、アップリンクＢＷＰを変更する命令は、アップリンクＢＷＰのみを変更する命令、または現在アップリンクＢＷＰではない別のアップリンクＢＷＰをスケジューリングアップリンクスケジューリング命令、または現在アップリンクＢＷＰではない別のＢＷＰにランダムアクセスを介しさせるようにトリガーする命令を含む。
（２）端末は、アップリンク送信の物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）をスケジューリングするためのスケジューリング命令ＰＤＣＣＨを受信した後、現在アクティブＢＷＰ部分帯域幅非アクティブタイマーを再開する。
（３）端末は、現在アクティブアップリンクＢＷＰ上でランダムアクセスが開始されたことを示す命令（物理層命令ＰＤＣＣＨなど）を受信した後、現在アクティブＢＷＰ部分帯域幅非アクティブタイマーを再開する。
【００４０】
一実施態様では、上記方法はさらに以下を含むことができる。
現在時刻で事前構成されたアップリンクリソースがあり、端末が当該事前構成されたアップリンクリソースを使用してアップリンク送信を送信する場合、現在アクティブＢＷＰ部分帯域幅非アクティブタイマーを再開する。
【００４１】
具体的には、現在時刻で事前構成されたアップリンクリソースがあり、端末が当該事前構成されたアップリンクリソースを使用してアップリンク送信を送信するときに、現在アクティブＢＷＰ部分帯域幅非アクティブタイマーを再開する。
【００４２】
この解決策は、ネットワーク側によって送信されたアップリンク送信に関連する命令が実施で受信されていることを必ずしも必要とせず、これは、別個に実施され得る部分帯域幅非アクティブタイマーの再開に関する処理解決策である。つまり、端末が当該事前構成されたアップリンクリソースを使用してアップリンク送信を送信する場合、現在アクティブＢＷＰ部分帯域幅非アクティブタイマーを再開し、アップリンク送信に関する命令が受信したがどうかを確認できない。
【００４３】
一実施形態では、上記方法はさらに以下を含むことができる。
部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更する。
【００４４】
具体的には、実施において、方法は、部分帯域幅非アクティブタイマーが満了すると、端末はアクティブアップリンクＢＷＰをデフォルトアップリンクＢＷＰに変更し、ネットワーク側が端末に対してデフォルトアップリンクＢＷＰ（ＵＬ ｄｅｆａｕｌｔ ＢＷＰ）を構成しない場合アップリンクＢＷＰ（ULデフォルトＢＷＰ）、デフォルトのアップリンクＢＷＰは初期アップリンクＢＷＰ（UL ｉｎｉｔｉａｌ ＢＷＰ）である。
【００４５】
一実施形態では、上記方法はさらに以下を含むことができる。
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、当該部分帯域幅非アクティブタイマーの開始または再開、期限切れに応じて、アップリンクアクティブＢＷＰおよびダウンリンクアクティブＢＷＰを同時に処理する。
【００４６】
具体的には、アクティブアップリンクおよびダウンリンクＢＷＰについて、部分帯域幅非アクティブタイマーをそれぞれアップリンクおよびダウンリンクに設定するか、またはただ１つの部分帯域幅非アクティブタイマーを設定することができる。２つの部分帯域幅の非アクティブタイマーが設定されている場合、アクティブアップリンクおよびダウンリンクＢＷＰがそれぞれ維持される。１つの部分帯域幅の非アクティブタイマーが設定されている場合、アクティブアップリンクおよびダウンリンクＢＷＰは、タイマーが期限切れになると、デフォルトアップリンクおよびダウンリンクＢＷＰに同時に変更される。
【００４７】
つまり、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、当該ダウンリンクＢＷＰ部分帯域幅非アクティブタイマーを開始し、または、
当該ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、当該ダウンリンクＢＷＰ部分帯域幅非アクティブタイマーを再開し、または、
当該ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、当該アップリンクＢＷＰ部分帯域幅非アクティブタイマーを開始し、または、
当該アップリンクＢＷＰのアップリンクシグナリングまたはデータ送信のトリガー条件の指示を受信するときに、当該アップリンクＢＷＰ部分帯域幅非アクティブタイマーを再開し、または、
当該アップリンクＢＷＰ部分帯域幅非アクティブタイマーが期限切れになるとき、アクティブアップリンクＢＷＰをデフォルトダウンリンクＢＷＰに変更する。
【００４８】
アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、当該部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、当該部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更する。
【００４９】
アップリンクおよびダウンリンクのそれぞれの部分帯域幅非アクティブタイマーの設定およびその特定の動作は、以下の第６の実施形態で説明され、１つの均一部分帯域幅非アクティブタイマーの設定およびその特定の動作は、以下の第５の実施形態にも示されている。
【００５０】
本発明の実施をよりよく理解するために、実施形態は、以下の例示のために使用される。
【００５１】
第１の実施形態
この実施形態は、ネットワーク側がアップリンクＢＷＰを変更する命令を端末に送信する実施を示すために使用される。
端末側：ネットワーク側によって送信されたＢＷＰを変更する命令を受信し、ネットワーク側によって示されたアップリンクＢＷＰをアクティブアップリンクＢＷＰとして設定し、当該アクティブアップリンクＢＷＰ部分帯域幅非アクティブタイマーを開始する。
基地局側：アクティブアップリンクＢＷＰを変更する命令を端末に送信し、新しいアクティブアップリンクＢＷＰ上で端末とのアップリンク送信を実行する。これには、当該新しいアクティブアップリンクＢＷＰのためのスケジューリング命令を送信および受信することを含む。新しくアクティブアップリンクＢＷＰであるのアップリンク送信など。基地局は、当該アクティブアップリンクＢＷＰの端末の部分帯域幅非アクティブタイマーを同時に開始して維持する。
【００５２】
第２の実施形態
この実施形態は、ネットワーク側がスケジューリング命令を端末に送信してアップリンクデータ送信をスケジューリングする実施を示すために使用される。
端末側：ネットワーク側から現在アクティブアップリンクＢＷＰのためのスケジューリング命令を受信し、現在アクティブアップリンクＢＷＰ部分帯域幅非アクティブタイマーを再開する。ネットワーク側のスケジューリング命令に従って、現在アクティブアップリンクＢＷＰ上でアップリンク送信が送信される。
基地局側：スケジューリング命令を端末に送信して、アップリンクデータ送信をスケジューリングする。現在アクティブアップリンクＢＷＰの端末の部分帯域幅非アクティブタイマーが再開される。端末のアップリンク送信は、スケジューリングされたリソースで受信される。
【００５３】
第３の実施形態
この実施形態は、ネットワーク側がＰＤＣＣＨ命令を端末に送信して、指定されたＢＷＰ上でランダムアクセスを開始する実施を例示するために使用される。
端末側：ネットワーク側によって送信されたＰＤＣＣＨ命令を受信し、当該命令はランダムアクセス情報を含む。
ランダムアクセスを開始するアクティブアップリンクＢＷＰが現在アクティブアップリンクＢＷＰであることをＰＤＣＣＨ命令が示す場合、現在アクティブアップリンクＢＷＰ部分帯域幅非アクティブタイマーが再開される。
ランダムアクセスを開始するアップリンクＢＷＰが別のアップリンクＢＷＰであることをＰＤＣＣＨ命令が示す場合、アクティブアップリンクＢＷＰは指定されたアップリンクＢＷＰに変更され、当該指定されたアップリンクＢＷＰ部分帯域幅非アクティブタイマーが開始される。
基地局側：ランダムアクセスをトリガーするためにＰＤＣＣＨ命令を端末に送信し、指定されたアップリンクＢＷＰ上でランダムアクセスプロセスを実行し、当該ランダムプロセスに使用されるアップリンクＢＷＰ部分帯域幅非アクティブタイマーを開始または再開する。
【００５４】
第４の実施形態
この実施形態は、端末がアクティブアップリンクＢＷＰの構成リソース上であるアップリンク送信を送信する実施を示すために使用される。
端末側：現在アクティブアップリンクＢＷＰの事前構成されたリソース上でアップリンク送信を送信し、同時に、現在アクティブアップリンクＢＷＰ部分帯域幅非アクティブタイマーを再開する。
基地局側：端末の現在アクティブアップリンクＢＷＰの事前構成されたリソース上で端末のアップリンク送信を受信し、現在アクティブアップリンクＢＷＰのための端末の部分帯域幅非アクティブタイマーを再開する。
【００５５】
第５の実施形態
この実施形態は、端末が１つの部分帯域幅非アクティブタイマーを維持する実施を説明するために使用される。この実施形態では、端末は、アクティブアップリンクＢＷＰおよびダウンリンクＢＷＰに対して同時に有効になる１つの部分帯域幅非アクティブタイマーのみを維持する。つまり、アクティブアップリンクＢＷＰとアクティブダウンリンクＢＷＰに対して部分帯域幅非アクティブタイマーが設定される。当該部分帯域幅非アクティブタイマーの開始または再開、期限切れに応じて、アップリンクアクティブＢＷＰおよびダウンリンクアクティブＢＷＰを同時に処理する。
開始：ダウンリンクＢＷＰが変更されたとき、またはアップリンクＢＷＰが変更されたときに、部分帯域幅非アクティブタイマー部分帯域幅非アクティブタイマーを開始し、当該タイマーは、現在アクティブ化されたアップリンクおよびダウンリンクＢＷＰのセットに対して有効である。たとえば、アップリンクＢＷＰのみが変更され、新たにアクティブになったアップリンクＢＷＰに対して部分帯域幅の非アクティブタイマーが開始される。実際に変更されていないアクティブダウンリンクＢＷＰの場合、部分帯域幅の非アクティブタイマーを再開することと同じである。
再開：アップリンクまたはダウンリンクのいずれのトリガー条件の下で部分帯域幅非アクティブタイマーを再開し、以下の１つ以上を含む：ダウンリンクデータスケジューリング命令を受信すること、アップリンクデータスケジューリング命令を受信すること、ランダムアクセスを開始する命令（ＰＤＣＣＨ ｏｒｄｅｒ）を受信すること、アップリンク構成済みリソース上でアップリンク送信を送信すること、またはダウンリンク構成済みリソース上でダウンリンク送信を受信すること。
期限切れ：部分帯域幅非アクティブタイマーが期限切れになると、アクティブアップリンクＢＷＰをデフォルトアップリンクＢＷＰに変更し、アクティブダウンリンクＢＷＰをデフォルトダウンリンクＢＷＰに変更する。
【００５６】
第６の実施形態
この実施形態は、端末が２つの部分帯域幅非アクティブタイマーを維持する実施を説明するために使用される。この実施形態では、端末は、アクティブアップリンクおよびダウンリンクのＢＷＰのそれぞれについて１つの部分帯域幅非アクティブタイマーを維持し、部分帯域幅非アクティブタイマーは、対応する送信方向のアクティブＢＷＰにのみ有効である。つまり、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理する。
ダウンリンク：
開始：ダウンリンクＢＷＰが変更されたときに、当該ダウンリンクＢＷＰ部分帯域幅非アクティブタイマーを開始する。
再開：任意のダウンリンクトリガー条件下部分帯域幅非アクティブタイマーを再開する場合、当該条件は、以下の１つまたは複数を含む：ダウンリンクデータスケジューリング命令を受信すること、または事前構成されたリソース上であるダウンリンク送信を受信すること。
期限切れ：部分帯域幅非アクティブタイマーが期限切れになる，アクティブダウンリンクＢＷＰをデフォルトダウンリンクＢＷＰに変更する。
アップリンク：
開始：アップリンクＢＷＰが変更されたときに、当該アップリンクＢＷＰ部分帯域幅非アクティブタイマーを開始する。
再開：任意のアップリンクトリガー条件下部分帯域幅非アクティブタイマーを再開する場合、当該条件は、以下の１つまたは複数を含む：アップリンクデータスケジューリング命令の受信、ランダムアクセスを開始する命令（ＰＤＣＣＨ ｏｒｄｅｒ）の受信、またはアップリンク事前構成されたリソースじょうでアップリンク送信の送信。
期限切れ：部分帯域幅非アクティブタイマーが期限切れになると、アクティブアップリンクＢＷＰをデフォルトアップリンクＢＷＰに変更する。
【００５７】
同じ発明思想に基づいて、本発明の実施形態はさらに、端末および部分帯域幅非アクティブタイマーの処理装置を提供する。これらの装置の問題を解決する原理は、部分帯域幅非アクティブタイマーの処理方法の原理と同様であるあるため、これらの装置の実施は、方法の実施を参照することがであるき、その繰り返しの説明はここでは省略される。
【００５８】
図２は、端末の構造概略図であり、示されるように、端末は、
プロセッサ２００の制御下でデータを送受信して以下のプロセスを実行するように構成された送受信機２１０と、
メモリ２２０内のプログラムを読み取って次のプロセスを実行するように構成されたプロセッサ２００とを備える。
前記送受信機２１０は、ネットワーク側によって送信されたアップリンク送信に関する命令を受信する。
前記プロセッサ２００は、受信された命令に従って、部分帯域幅非アクティブタイマーを開始または再開する。
【００５９】
一実施態様では、前記命令は、アップリンク部分帯域幅（ＢＷＰ）を変更する命令であり、当該新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開する。
【００６０】
一実施態様では、さらに、現在時刻で事前構成されたアップリンクリソースがあり、端末が当該事前構成されたアップリンクリソースを使用してアップリンク送信を送信する場合、現在アクティブＢＷＰ部分帯域幅非アクティブタイマーを再開する。
【００６１】
一実施態様では、さらに、部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更する。
【００６２】
一実施態様では、さらに、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、当該部分帯域幅非アクティブタイマーの開始または再開、期限切れに応じて、アップリンクアクティブＢＷＰおよびダウンリンクアクティブＢＷＰを同時に処理する。
【００６３】
一実施態様では、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、当該ダウンリンクＢＷＰ部分帯域幅非アクティブタイマーを開始し、または、
当該ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、当該ダウンリンクＢＷＰ部分帯域幅非アクティブタイマーを再開し、または、
当該ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、当該アップリンクＢＷＰ部分帯域幅非アクティブタイマーを開始し、または、
当該アップリンクＢＷＰのアップリンクシグナリングまたはデータ送信のトリガー条件の指示を受信するときに、当該アップリンクＢＷＰ部分帯域幅非アクティブタイマーを再開し、または、
当該アップリンクＢＷＰ部分帯域幅非アクティブタイマーが期限切れになるとき、アクティブアップリンクＢＷＰをデフォルトダウンリンクＢＷＰに変更する。
【００６４】
一実施態様では、アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、当該部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、当該部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更する。
【００６５】
ここで、図２において、バスアーキテクチャは、いずれ数の相互接続するバス及びブリッジを備える。具体的に、プロセッサ２００によって表される１つまたは複数のプロセッサ及びメモリ２２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機２１０は、複数の部品であることができ、即ち、送信機及び受信機を備え、伝送媒体を介して他の装置と通信するユニットを提供する。異なるユーザー設備に対し、ユーザーインターフェース２３０は、外部接続または内部接続に必要な設備のインターフェースであることもできる。接続する設備は、キーパッド、ディスプレー、スピーカー、マイクロホン、ジョイスティック等を備えるが、これに限られない。
【００６６】
プロセッサ２００は、バスアーキテクチャ及び通常の処理を管理し、メモリ２２０は、プロセッサ２００が動作する際に利用するデータを記憶することができる。
本発明の実施形態によって提供される技術的解決策が実施されるとき、以下のように実施され得る。
【００６７】
図３は、部分帯域幅非アクティブタイマーの処理装置の構造概略図であり、示されるように、装置は
ネットワーク側によって送信されたアップリンク送信に関する命令を受信ように構成された受信モジュール３０１と、
受信された命令に従って、部分帯域幅非アクティブタイマーを開始または再開するように構成された処理モジュール３０２とを備える。
【００６８】
一実施態様では、前記命令は、アップリンク部分帯域幅（ＢＷＰ）を変更する命令であり、当該新しいアクティブＢＷＰ部分帯域幅非アクティブタイマーを開始し、または、
前記命令は、現在ＢＷＰのアップリンク送信ＰＵＳＣＨをスケジューリングするスケジューリング命令であり、現在アクティブＢＷＰ部分帯域幅非アクティブタイマーを再開し、または、
前記命令は、現在アクティブアップリンクＢＷＰでランダムアクセスを開始する命令であり、現在アクティブＢＷＰ部分帯域幅非アクティブタイマーを再開する。
【００６９】
一実施態様では、さらに、現在時刻で事前構成されたアップリンクリソースがあり、端末が当該事前構成されたアップリンクリソースを使用してアップリンク送信を送信する場合、現在アクティブＢＷＰ部分帯域幅非アクティブタイマーを再開する。
【００７０】
一実施態様では、さらに、部分帯域幅非アクティブタイマーが期限切れになると、アクティブアップリンクＢＷＰをデフォルトアップリンクＢＷＰに変更し、または、
部分帯域幅非アクティブタイマーが期限切れになると、ネットワーク側が端末にデフォルトアップリンクＢＷＰを構成していない場合、アクティブアップリンクＢＷＰを初期アップリンクＢＷＰに変更する。
【００７１】
一実施態様では、さらに、
アップリンクアクティブＢＷＰに対してアップリンク部分帯域幅非アクティブタイマーを設定し、ダウンリンクアクティブＢＷＰに対してダウンリンク部分帯域幅非アクティブタイマーを設定し、アップリンク部分帯域幅非アクティブタイマーの開始または再開、期限切れに応じて、アップリンクアクティブＢＷＰを処理し、ダウンリンク部分帯域幅非アクティブタイマーの開始または再開、期限切れに応じて、ダウンリンクアクティブＢＷＰを処理し、または、
アップリンクアクティブＢＷＰおよびダウンリンクアクティブＢＷＰに対して１つの部分帯域幅非アクティブタイマーを設定し、当該部分帯域幅非アクティブタイマーの開始または再開、期限切れに応じて、アップリンクアクティブＢＷＰおよびダウンリンクアクティブＢＷＰを同時に処理する。
【００７２】
一実施態様では、アップリンクアクティブＢＷＰに対してアップリンク部分帯域幅非アクティブタイマーを設定し、ダウンリンクアクティブＢＷＰに対してダウンリンク部分帯域幅非アクティブタイマーを設定するときに、
ダウンリンクＢＷＰが変更されたときに、当該ダウンリンクＢＷＰ部分帯域幅非アクティブタイマーを開始し、または、
当該ダウンリンクＢＷＰのスケジューリングダウンリンク送信的ダウンリンクスケジューリング命令を受信したとき、または事前構成されたリソースで基地局によって送信されるダウンリンク送信ダウンリンク送信を受信するときに、当該ダウンリンクＢＷＰ部分帯域幅非アクティブタイマーを再開し、または、
当該ダウンリンクＢＷＰ部分帯域幅非アクティブタイマーが期限切れになるとき、アクティブダウンリンクＢＷＰをデフォルトダウンリンクＢＷＰに変更し、または、
アップリンクＢＷＰが変更されたときに、当該アップリンクＢＷＰ部分帯域幅非アクティブタイマーを開始し、または、
当該アップリンクＢＷＰのアップリンクシグナリングまたはデータ送信のトリガー条件の指示を受信するときに、当該アップリンクＢＷＰ部分帯域幅非アクティブタイマーを再開し、または、
当該アップリンクＢＷＰ部分帯域幅非アクティブタイマーが期限切れになるとき、アクティブアップリンクＢＷＰをデフォルトダウンリンクＢＷＰに変更する。
【００７３】
一実施態様では、アップリンクアクティブＢＷＰおよびダウンリンクアクティブＢＷＰに対して１つの部分帯域幅非アクティブタイマーを設定するとき、
ダウンリンクＢＷＰが変更されたとき、またはアップリンクＢＷＰが変更されたときに、部分帯域幅非アクティブタイマーを開始または再開し、当該部分帯域幅非アクティブタイマーは、現在アクティブ化されたアップリンクおよびダウンリンクＢＷＰのセットで有効になり、または、
アップリンクおよびダウンリンク送信のトリガー条件の指示を受信したときに、部分帯域幅非アクティブタイマーを再開し、当該部分帯域幅非アクティブタイマーは、現在アクティブ化されたアップリンクおよびダウンリンクＢＷＰのセットで有効になり、または、
部分帯域幅非アクティブタイマーが期限切れになるときに、アクティブアップリンクＢＷＰをデフォルトアップリンクＢＷＰに変更し、アクティブダウンリンクＢＷＰをデフォルトダウンリンクＢＷＰに変更する。
【００７４】
説明の便宜のために、前記装置のすべての部分は、それぞれ説明される機能によって様々なモジュールまたはモジュールに分割される。もちろん、様々なモジュールまたはモジュールの機能は、本アプリケーションが実施されるとき、同じ１つまたは複数のソフトウェアまたはハードウェアである実施されてもよい。
【００７５】
要約すると、本発明の実施形態によって提供される技術的解決策は、ＢＷＰ非アクティブタイマーの特定のステップメカニズムを明らかにする。本発明の実施形態によって提供される技術的解決策を通じて、端末および基地局は、正しいリソース上でシグナリングおよびデータ送信を実行し、シグナリングおよびデータ送信エラーおよびリソースの浪費を回避することができる。
【００７６】
本発明の実施形態は、コンピューティング端末上で実行するときに、コンピューティング端末に、本発明の実施形態に係る部分帯域幅非アクティブタイマーの処理方法のステップを実行させるように構成されたプログラムコードを含むコンピュータ可読不揮発性記憶媒体をさらに提供する。
【００７７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００７８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００７９】
これらのコンピュータプログラム指令は、又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００８０】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００８１】
上述した実施形態に記述された技術的な解決手段を改造し、或いはその中の一部の技術要素を置換することもできる。そのような、改造と置換は本発明の各実施形態の技術の範囲から逸脱するとは見なされない。
【００８２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８３】
２００  プロセッサ
２１０  送受信機
２２０  メモリ
２３０  ユーザーインターフェース
３０１  受信モジュール
３０２  処理モジュール
【図１】
2021503844.tif 000003
【図２】
2021503844.tif 000004
【図３】
2021503844.tif 000005
【国際調査報告】
2021503844.tif 000006
2021503844.tif 000007
2021503844.tif 000008
2021503844.tif 000009
2021503844.tif 000010
2021503844.tif 000011